(57)【特許請求の範囲】
【請求項１】
各々が供給される信号に応じた階調を示す複数の電気光学素子と、
階調値と、ａ個のサブフィールドのオンまたはオフの組み合わせを示すサブフィールドコードとの組を複数含む第１テーブル、および、階調値と、ｂ個（ｂ＞ａ）のサブフィールドのオンまたはオフの組み合わせを示すサブフィールドコードとの組を複数含む第２テーブルとを記憶した記憶手段と、
複数の画素の階調値により表現された第１画像および当該第１画像と時間的に連続する第２画像を含み、フレームに区分された複数の画像を示す映像信号が入力される入力手段と、
前記第１画像および前記第２画像において階調値の差がしきい値未満である画素に対しては、前記第２テーブルを用いて当該画素の階調値を前記サブフィールドコードに変換し、階調値の前記差がしきい値以上である画素に対しては、前記第１テーブルを用いて当該画素の階調値を前記サブフィールドコードに変換する変換手段と、
１フレームの画像を表示するための期間を複数に分割したサブフィールドの各々において、前記変換手段により変換されたサブフィールドコードに応じた信号を供給し、前記複数の電気光学素子を駆動する駆動手段と
を有する電気光学装置。
【請求項２】
前記第１画像が右目用画像であり、
前記第２画像が、前記第１画像と同じフレームの左目用画像である
ことを特徴とする請求項１に記載の電気光学装置。
【請求項３】
前記駆動手段は、単一フレームにおける前記右目用画像および前記左目用画像の各々において、極性反転駆動をする
ことを特徴とする請求項２に記載の電気光学装置。
【請求項４】
ｂ＝２ａである
ことを特徴とする請求項１ないし請求項３のいずれか一項に記載の電気光学装置。
【請求項５】
前記電気光学素子の応答時間がｃ個（ｃ＜ａ）のサブフィールドに相当する時間であり、
ｂ＝２ａ＋ｃである
ことを特徴とする請求項１ないし請求項３のいずれか一項に記載の電気光学装置。
【請求項６】
請求項１ないし５のいずれか一項に記載の電気光学装置を有する電子機器。
【請求項７】
各々が供給される信号に応じた階調を示す複数の電気光学素子と、階調値と、ａ個のサブフィールドのオンまたはオフの組み合わせを示すサブフィールドコードとの組を複数含む第１テーブル、および、階調値と、ｂ個（ｂ＞ａ）のサブフィールドのオンまたはオフの組み合わせを示すサブフィールドコードとの組を複数含む第２テーブルとを記憶した記憶手段とを有する電気光学装置の駆動方法であって、
複数の画素の階調値により表現された第１画像および当該第１画像と時間的に連続する第２画像を含み、フレームに区分された複数の画像を示す映像信号が入力されるステップと、
前記第１画像および前記第２画像において階調値の差がしきい値未満である画素に対しては、前記第２テーブルを用いて当該画素の階調値を前記サブフィールドコードに変換し、階調値の前記差がしきい値以上である画素に対しては、前記第１テーブルを用いて当該画素の階調値を前記サブフィールドコードに変換するステップと、
１フレームの画像を表示するための期間を複数に分割したサブフィールドの各々において、前記変換されたサブフィールドコードに応じた信号を供給し、前記複数の電気光学素子を駆動するステップと
を有する駆動方法。
【発明の詳細な説明】
【技術分野】
【０００１】
本発明は、サブフィールド駆動方式により階調表示制御を行う技術に関する。
【背景技術】
【０００２】
液晶素子における階調制御方法として、液晶素子に印加される電圧を変調する電圧変調方式の他、液晶素子に一定電圧が印加される時間を変調する、いわゆるサブフィールド駆動方式が知られている（特許文献１）。サブフィールド駆動方式において、１フレームは複数のサブフィールドに分割される。複数のサブフィールドのうち電圧印加をオンするサブフィールドとオフするサブフィールドとの組み合わせにより、液晶素子の階調が制御される。また、液晶素子においては、液晶の焼き付きや劣化を防ぐため、印加電圧の極性を時間的に切り替える駆動が行われる。理想的には、正極性の電圧による書き込みを行った後で、同じ時間、負極性の電圧による書き込みが行われることが望ましい。このため、１フレームは半分に分割され、この半分のフレームに含まれるサブフィールドを用いて階調制御が行われる。
【０００３】
近年、３Ｄ表示（立体表示）を行う技術が開発されている。特許文献２は、左目用画像と右目用画像とを時分割で表示する技術を開示している。ユーザは、シャッター付きの眼鏡を介してこの映像を視認する。左目用画像が表示されているときは眼鏡の右目部のシャッターが閉じられ、右目用画像が表示されているときは眼鏡の左目部のシャッターが閉じられる。この装置を用いることにより、左目および右目で異なる画像が視認され、３Ｄ表示が知覚される。
【先行技術文献】
【特許文献】
【０００４】
【特許文献１】特開２００３−１１４６６１号公報
【特許文献２】特開平９−１３８３８４号公報
【発明の開示】
【発明が解決しようとする課題】
【０００５】
例えば上記の眼鏡を用いて３Ｄ表示を行う際の階調制御方法としてサブフィールド駆動方式を採用すると、階調制御に用いることができるサブフィールドの数は、２Ｄ表示の場合と比較すると半分になってしまう。サブフィールド駆動において表現できる階調数は、サブフィールドの数と相関しており、サブフィールドの数が減るということは、表現できる階調数が減少することを意味している。これは、３Ｄ表示を行う際に限った問題ではなく、１フレームという限られた時間を有限個のサブフィールドに分割して駆動するサブフィールド駆動方式の本質的な問題である。
これに対し本発明は、サブフィールド駆動方式において表現できる階調数を増加させる技術を提供する。
【課題を解決するための手段】
【０００６】
本発明は、各々が供給される信号に応じた階調を示す複数の電気光学素子と、階調値と、ａ個のサブフィールドのオンまたはオフの組み合わせを示すサブフィールドコードとの組を複数含む第１テーブル、および、階調値と、ｂ個（ｂ＞ａ）のサブフィールドのオンまたはオフの組み合わせを示すサブフィールドコードとの組を複数含む第２テーブルとを記憶した記憶手段と、複数の画素の階調値により表現された第１画像および第２画像を含み、フレームに区分された複数の画像を示す映像信号が入力される入力手段と、前記複数の画素のうち対象となる対象画素について、前記第１画像と前記第２画像との階調値の差がしきい値未満である場合、前記第２テーブルを用いて前記対象画素の階調値を前記サブフィールドコードに変換し、第１画像と第２画像との階調値の差がしきい値以上である場合、前記第１テーブルを用いて前記対象画素の階調値を前記サブフィールドコードに変換する変換手段と、１フレームの画像を表示するための期間を複数に分割したサブフィールドの各々において、前記変換手段により変換されたサブフィールドコードに応じた信号を供給し、前記複数の電気光学素子を駆動する駆動手段とを有する電気光学装置を提供する。
この電気光学装置によれば、サブフィールド駆動方式において、第１テーブルのみを使用する場合と比較して表現できる階調数を増加させることができる。
【０００７】
好ましい態様において、前記第１画像が右目用画像であり、前記第２画像が左目用画像であり、前記対象画素は、単一フレームにおける右目用画像および左目用画像の画素でってもよい。
この電気光学装置によれば、サブフィールド駆動方式において３Ｄ映像を表示する場合、第１テーブルのみを使用する場合と比較して表現できる階調数を増加させることができる。
【０００８】
別の好ましい態様において、前記駆動手段は、単一フレームにおける前記右目用画像および前記左目用画像の各々において、極性反転駆動をしてもよい。
この電気光学装置によれば、単一フレーム内で極性バランスをとりつつ、比較して表現できる階調数を増加させることができる。
【０００９】
さらに別の好ましい態様において、ｂ＝２ａであってもよい。
この電気光学装置によれば、第１テーブルのみを使用する場合と比較して、表現できる階調数を、２倍のサブフィールドコード長に相当するだけ増加させることができる。
【００１０】
さらに別の好ましい態様において、前記電気光学素子の応答時間がｃ個（ｃ＜ａ）のサブフィールドに相当する時間であり、ｂ＝２ａ＋ｃであってもよい。
この電気光学装置によれば、電気光学素子の応答時間を考慮した上で、第１テーブルのみを使用する場合と比較して、表現できる階調数を、２倍のサブフィールドコード長に相当するだけ増加させることができる。
【００１１】
また、本発明は、上記いずれかの電気光学装置を有する電子機器を提供する。
この電子機器によれば、サブフィールド駆動方式において、第１テーブルのみを使用する場合と比較して表現できる階調数を増加させることができる。
【００１２】
さらに、本発明は、各々が供給される信号に応じた階調を示す複数の電気光学素子と、階調値と、ａ個のサブフィールドのオンまたはオフの組み合わせを示すサブフィールドコードとの組を複数含む第１テーブル、および、階調値と、ｂ個（ｂ＞ａ）のサブフィールドのオンまたはオフの組み合わせを示すサブフィールドコードとの組を複数含む第２テーブルとを記憶した記憶手段とを有する電気光学装置の駆動方法であって、複数の画素の階調値により表現された第１画像および第２画像を含み、フレームに区分された複数の画像を示す映像信号が入力されるステップと、前記複数の画素のうち対象となる対象画素について、前記第１画像と前記第２画像との階調値の差がしきい値未満である場合、前記第２テーブルを用いて前記対象画素の階調値を前記サブフィールドコードに変換し、第１画像と第２画像との階調値の差がしきい値以上である場合、前記第１テーブルを用いて前記対象画素の階調値を前記サブフィールドコードに変換するステップと、１フレームの画像を表示するための期間を複数に分割したサブフィールドの各々において、前記変換されたサブフィールドコードに応じた信号を供給し、前記複数の電気光学素子を駆動するステップとを有する駆動方法を提供する。
この駆動方法によれば、サブフィールド駆動方式において、第１テーブルのみを使用する場合と比較して表現できる階調数を増加させることができる。
【図面の簡単な説明】
【００１３】
【図１】プロジェクター２０００の構成を示す平面図。
【図２】電気光学装置２１００の機能構成を示す図。
【図３】電気光学装置２１００の回路構成を示すブロック図。
【図４】画素１１１の等価回路を示す図。
【図５】液晶パネル１００の駆動方法を示すタイミングチャート。
【図６】映像処理回路３０の構成を示す図。
【図７】映像信号Ｖｉｄ−ｉｎにより示される映像の構成を示す図。
【図８】ＬＵＴ２１１およびＬＵＴ２１２を例示する図。
【図９】分離部３０５によるサブフィールドコード書き込みの例を示す図。
【図１０】プロジェクター２０００の動作を示すフローチャート。
【図１１】プロジェクター２０００の動作を示すタイミングチャートの一例。
【図１２】プロジェクター２０００の動作を示すタイミングチャートの別の例。
【図１３】比較例に係る動作を示すタイミングチャートの例。
【図１４】変形例１に係る映像処理回路３０の構成を示す図。
【図１５】変形例２に係る動作を示すタイミングチャートの一例。
【図１６】変形例２に係る動作を示すタイミングチャートの別の例。
【発明を実施するための形態】
【００１４】
［実施形態］
１．構成
【００１５】
図１は、一実施形態に係るプロジェクター２０００（電子機器の一例）の構成を示す平面図である。プロジェクター２０００は、入力された映像信号に応じた画像をスクリーン３０００に投射する装置である。この例で、プロジェクター２０００により投射される映像は、３Ｄ映像（立体映像）である。ユーザーは、スクリーン３０００に投射された映像を、３Ｄメガネ（図示略）を介して視認する。３Ｄメガネは、左目に入る光を遮断または透過する左目シャッターおよび右目に入る光を遮断または透過する右目シャッターを有する。目に入る光を遮断することを「シャッターを閉じる」といい、透過することを「シャッターを開く」という。左目シャッターおよび右目シャッターはそれぞれ独立して、開閉状態が制御される。３Ｄメガネにより、ユーザーは、左目および右目でそれぞれ異なる映像を視認し、全体として３Ｄ映像を視認する。
【００１６】
プロジェクター２０００は、ライトバルブ２１０、ランプユニット２２０、光学系２３０、ダイクロイックプリズム２４０、および投射レンズ２５０を有する。ランプユニット２２０は、例えばハロゲンランプの光源を有する。光学系２３０は、ランプユニット２２０から射出された光を複数の波長帯、例えばＲ（赤）、Ｇ（緑）、Ｂ（青）の３原色に分離する。より詳細には、光学系２３０は、ダイクロイックミラー２３０１、ミラー２３０２、第１マルチレンズ２３０３、第２マルチレンズ２３０４、偏光変換素子２３０５、重畳レンズ２３０６、レンズ２３０７、および集光レンズ２３０８を有する。ランプユニット２２０から射出された投射光は、第１マルチレンズ２３０３、第２マルチレンズ２３０４、偏光変換素子２３０５、重畳レンズ２３０６を通過し、２枚のダイクロイックミラー２３０１および３枚のミラー２３０２によってＲ（赤）、Ｇ（緑）、Ｂ（青）の３原色に分離される。分離された各光は、集光レンズ２３０８を介して、各原色に対応するライトバルブ２１０Ｒ、２１０Gおよび２１０Bにそれぞれ導かれる。なお、Ｂ光は、Ｒ光、Ｇ光と比較すると、光路が長いことによる損失を防ぐために、３枚のレンズ２３０７を用いたリレーレンズ系を介して導かれる。
【００１７】
ライトバルブ２１０Ｒ、２１０Ｇ、および２１０Ｂは、光を変調する装置であり、それぞれ、液晶パネル１００Ｒ、１００Ｇ、および１００Ｂを有する。液晶パネル１００には、各色の縮小画像が形成される。液晶パネル１００Ｒ、１００Ｇ、１００Ｂによってそれぞれ形成された縮小画像、すなわち、変調光は、ダイクロイックプリズム２４０に３方向から入射する。ダイクロイックプリズム２４０において、Ｒ光およびＢ光は９０度に反射され、Ｇ光は直進する。したがって、各色の画像が合成された後、スクリーン３０００には、投射レンズ２５０によってカラー画像が投射される。
【００１８】
なお、液晶パネル１００Ｒ、１００Ｇ、１００Ｂには、ダイクロイックミラー２３０１によって、Ｒ色、Ｇ色、Ｂ色のそれぞれに対応する光が入射するので、カラーフィルタを設ける必要はない。また、液晶パネル１００Ｒ、１００Ｂの透過像は、ダイクロイックプリズム２４０により反射した後に投射されるのに対し、表示パネル１００Ｇの透過像はそのまま投射される。したがって、液晶パネル１００Ｒ、１００Ｂによる水平走査方向は、表示パネル１００Ｇによる水平走査方向と逆向きにされており、液晶パネル１００Ｒ、１００Ｂには左右を反転させた像が表示される。
【００１９】
図２は、プロジェクター２０００に含まれる電気光学装置２１００の機能構成を示す図である。プロジェクター２０００は、記憶手段２１、入力手段２２、変換手段２３、駆動手段２４、および液晶パネル１００を有する。記憶手段２１は、ＬＵＴ（Look Up Table）２１１およびＬＵＴ２１２を記憶している。ＬＵＴ２１１は、階調値と、ａ個（ａは自然数）のサブフィールドのオンまたはオフの組み合わせを示すサブフィールドコードとの組を複数含むテーブルである。ＬＵＴ２１２は、階調値と、ｂ個（ｂはｂ＞ａを満たす自然数）のサブフィールドのオンまたはオフの組み合わせを示すサブフィールドコードとの組を複数含むテーブルである。入力手段２２には、映像信号が入力される。映像信号は、複数の画素の階調値により表現された第１画像（例えば左目用画像）および第２画像（例えば右目用画像）を含んでいる。これらの画像は、フレームに区分されている。変換手段２３は、映像信号により示される階調値をサブフィールドコードに変換する。この例で、変換手段２３は、処理の対象となる画素（以下「対象画素」という）について、第１画像と第２画像との階調値の差がしきい値未満である場合、ＬＵＴ２１２を用いて階調値をサブフィールドコードに変換する。第１画像と第２画像との階調値の差がしきい値以上である場合、ＬＵＴ２１１を用いて対象画素の階調値をサブフィールドコードに変換する。駆動手段２４は、各サブフィールドにおいて、変換手段２３により変換されたサブフィールドコードに応じた信号を液晶パネル１００に供給し、液晶パネル１００を駆動する。
【００２０】
図３は、電気光学装置２１００の回路構成を示すブロック図である。プロジェクター２０００は、制御回路１０と、液晶パネル１００と、走査線駆動回路１３０と、データ線駆動回路１４０とを有する。プロジェクター２０００は、上位装置から供給される映像信号Ｖｉｄ−ｉｎにより示される画像（以下「入力画像」という）を、同期信号Ｓｙｎｃに基づいたタイミングで、液晶パネル１００に表示する装置である。
【００２１】
液晶パネル１００は、供給される信号に応じた画像を表示する装置である。液晶パネル１００は、表示領域１０１を有する。表示領域１０１には、複数の画素１１１が配置されている。この例では、ｍ行ｎ列の画素１１１がマトリクス状に配置されている。液晶パネル１００は、素子基板１００ａと、対向基板１００ｂと、液晶層１０５とを有する。素子基板１００ａおよび対向基板１００ｂは一定の間隔を保って貼り合わせられている。素子基板１００ａおよび対向基板１００ｂの間隙には、液晶層１０５が挟まれている。素子基板１００ａには、ｍ行の走査線１１２およびｎ本のデータ線１１４が設けられている。走査線１１２およびデータ線１１４は、対向基板１００ｂと対向する面に設けられている。走査線１１２とデータ線１１４とは、電気的に絶縁されている。走査線１１２とデータ線１１４との交差に対応して、画素１１１が設けられている。液晶パネル１００は、ｍ×ｎ個の画素１１１を有する。画素１１１の各々に対応して、素子基板１００ａには、個別の画素電極１１８およびＴＦＴ１１６（Thin Film Transistor、薄膜トランジスター）が設けられている。以下において、複数の走査線１１２を区別する場合には、図３において上から順に、第１、第２、第３、…、第（ｍ−１）、第ｍ行の走査線１１２という。同様に、複数のデータ線１１４を区別する場合には、図３において左から順に、第１、第２、第３、…、第（ｎ−１）、第ｎ列のデータ線１１４という。なお、図３において、素子基板１００ａの対向面は紙面裏側であるので、この対向面に設けられる走査線１１２、データ線１１４、ＴＦＴ１１６および画素電極１１８については破線で示すべきであるが、見難くなるので、それぞれ実線で示している。
【００２２】
対向基板１００ｂには、コモン電極１０８が設けられている。コモン電極１０８は、素子基板１００ａと対向する１面に設けられている。コモン電極１０８は、すべての画素１１１について共通である。すなわち、コモン電極１０８は、対向基板１００ｂのほぼ全面にわたって設けられている、いわゆるベタ電極である。
【００２３】
図４は、画素１１１の等価回路を示す図である。画素１１１は、ＴＦＴ１１６、液晶素子１２０、および容量素子１２５を有する。ＴＦＴ１１６は、液晶素子１２０への電圧の印加を制御するスイッチング手段の一例であり、この例ではｎチャネル型の電界効果トランジスターである。液晶素子１２０は、印加される電圧に応じて光学状態が変化する素子である。この例で、液晶パネル１００は透過型の液晶パネルであり、変化する光学状態は透過率である。液晶素子１２０は、画素電極１１８、液晶層１０５、およびコモン電極１０８を有する。第ｉ行第ｊ列の画素１１１において、ＴＦＴ１１６のゲートおよびソースは、それぞれ、第ｉ行の走査線１１２および第ｊ列のデータ線１１４に接続されている。ＴＦＴ１１６のドレインは、画素電極１１８に接続されている。容量素子１２５は、画素電極１１８に書き込まれた電圧を保持する素子である。容量素子１２５の一端は画素電極１１８に接続されており、他端は容量線１１５に接続されている。
【００２４】
第ｉ行の走査線１１２にＨレベルの電圧を示す信号が入力されると、ＴＦＴ１１６のソース・ドレイン間は導通する。ＴＦＴ１１６のソース・ドレイン間が導通すると、画素電極１１８は、（ＴＦＴ１１６のソース・ドレイン間のオン抵抗を無視すれば）第ｊ列のデータ線１１４と同電位になる。第ｊ列のデータ線１１４には、映像信号Ｖｉｄ−ｉｎに応じて、第ｉ行第ｊ列の画素１１１の階調値に応じた電圧（以下、「データ電圧」といい、データ電圧を示す信号を「データ信号」という）が印加される。コモン電極１０８には、図示しない回路により、共通電位ＬＣｃｏｍが与えられる。容量線１１５には、図示しない回路により、時間的に一定の電位Ｖｃｏｍ（この例では、Ｖｃｏｍ＝ＬＣｃｏｍ）が与えられる。すなわち、液晶素子１２０には、データ電圧と共通電位ＬＣｃｏｍとの差に応じた電圧が印加される。以下、液晶層１０５がＶＡ（Vertical Alignment）型であり、電圧無印加時において液晶素子１２０の階調が暗状態（黒状態）となるノーマリーブラックモードである例を用いて説明する。なお、特に説明しない限り、図示を省略した接地電位を電圧の基準（ゼロＶ）とする。
【００２５】
再び図３を参照する。制御回路１０は、走査線駆動回路１３０およびデータ線駆動回路１４０を制御するための信号を出力する制御装置である。制御回路１０は走査制御回路２０および映像処理回路３０を有する。走査制御回路２０は、同期信号Ｓｙｎｃに基づいて、制御信号Ｘｃｔｒ、制御信号Ｙｃｔｒ、および制御信号Ｉｃｔｒを生成し、生成した信号を出力する。制御信号Ｘｃｔｒは、データ線駆動回路１４０を制御するための信号であり、例えば、データ信号を供給するタイミング（水平走査期間の始期）を示す。制御信号Ｙｃｔｒは、走査線駆動回路１３０を制御するための信号であり、例えば、走査信号を供給するタイミング（垂直走査期間の始期）を示す。制御信号Ｉｃｔｒは、映像処理回路３０を制御するための信号であり、例えば、信号処理のタイミングおよび印加電圧の極性を示す。映像処理回路３０は、デジタル信号である映像信号Ｖｉｄ−ｉｎを、制御信号Ｉｃｔｒにより示されるタイミングで処理して、アナログ信号であるデータ信号Ｖｘとして出力する。映像信号Ｖｉｄ−ｉｎは、画素１１１の階調値をそれぞれ指定するデジタルデータである。このデジタルデータにより示される階調値は、同期信号Ｓｙｎｃに含まれる垂直走査信号、水平走査信号およびドットクロック信号に従った順番で、データ信号Ｖｘにより供給される。
【００２６】
走査線駆動回路１３０は、制御信号Ｙｃｔｒに従って、走査信号Ｙを出力する回路である。第ｉ行の走査線１１２に供給される走査信号を、走査信号Ｙｉという。この例で、走査信号Ｙｉは、ｍ本の走査線１１２の中から一の走査線１１２を順次排他的に選択するための信号である。走査信号Ｙｉは、選択される走査線１１２に対しては選択電圧（Ｈレベル）となり、それ以外の走査線１１２に対しては非選択電圧（Ｌレベル）となる信号である。なお、一の走査線１１２を順次排他的に選択される駆動に代わり、複数の走査線１１２が同時に選択される、いわゆるＭＬＳ（Multiple Line Selection）駆動が用いられてもよい。
【００２７】
データ線駆動回路１４０は、制御信号Ｘｃｔｒに従って、データ信号Ｖｘをサンプリングしてデータ信号Ｘを出力する回路である。第ｊ列のデータ線１１４に供給されるデータ信号を、データ信号Ｘｊという。
【００２８】
図５は、液晶パネル１００の駆動方法を示すタイミングチャートである。画像は１フレームごとに（この例では１フレームに複数回）書き替えられる。例えば、フレーム速度は６０フレーム／秒、すなわち垂直同期信号（図示略）の周波数は６０Ｈｚであり、１フレーム期間（以下、単に「１フレーム」という）は１６．７ミリ秒（１／６０秒）である。液晶パネル１００はサブフィールド駆動により駆動される。サブフィールド駆動において、１フレームは複数のサブフィールド期間（以下、単に「サブフィールド」という）に分割される。図５は、１フレームが、ＳＦ１〜ＳＦ４０の４０個のサブフィールドに分割される例を示している。スタート信号ＤＹは、サブフィールドの始期を示す信号である。スタート信号ＤＹとしてＨレベルのパルスが供給されると、走査線駆動回路１３０は、走査線１１２の走査を開始、すなわち、ｍ本の走査線１１２に走査信号Ｇｉ（１≦ｉ≦ｍ）を出力する。１つのサブフィールドにおいて、走査信号Ｇは、順次排他的に選択電圧になる信号である。選択電圧を示す走査信号を選択信号といい、非選択電圧を示す走査信号を非選択信号という。また、第ｉ行の走査線１１２に選択信号が供給されることを、「第ｉ行の走査線１１２が選択される」という。第ｊ列のデータ線１１４に供給されるデータ信号Ｓｊは、走査信号と同期している。例えば、第ｉ行の走査線１１２が選択されているときは、第ｉ行第ｊ列の画素１１１の階調値に対応する電圧を示す信号がデータ信号Ｓｊとして供給される。
【００２９】
なお、ここでは、説明を簡単にするため、液晶素子１２０および３Ｄメガネのシャッターの応答時間（応答速度）が無視できる例、すなわち、液晶素子１２０の応答時間およびシャッターの応答時間が、サブフィールド長に対して十分に短い（応答速度が十分に速い）例を用いて説明する。
【００３０】
図６は、映像処理回路３０の構成を示す図である。映像処理回路３０は、メモリー３０１、ラインバッファー３０２、比較器３０３、変換部３０４、分離部３０５、フレームメモリー３０６、フレームメモリー３０７、および制御部３０８を有する。メモリー３０１は、記憶手段２１の一例であり、ＬＵＴ２１１およびＬＵＴ２１２を記憶している。ラインバッファー３０２は、入力手段２２の一例であり、入力画像を、データとして１行分記憶する。
【００３１】
図７は、入力映像の構成を示す図である。この例で、入力映像は、いわゆるサイド・バイ・サイド方式の３Ｄ映像である。図示されているのは１フレーム分の画像であり、左目用画像と右目用画像とが、左右に並べられている。２Ｄの画像と比較すると、左目用画像および右目用画像は、それぞれ水平方向において１／２に圧縮されている。すなわち、左目用画像および右目用画像は、それぞれｍ行（ｎ／２）列の画素により構成されており、水平方向の解像度は２Ｄ画像の半分である。
【００３２】
再び図６を参照する。比較器３０３は、ラインバッファー３０２に記憶されているデータから、左目用画像および右目用画像における対象画素のデータを読み出し、これらのデータにより示される階調値を比較する。対象画素は、左目用画像および右目用画像をそれぞれ別個の画像と考えた場合における同じ位置の画素である。例えば、第ｉ行第ｊ列の画素が対象画素である場合、左目用画像における第ｉ行第ｊ列の画素と、右目用画像における第ｉ行第ｊ列の画素（サイド・バイ・サイドの画像における第ｉ行第（ｎ／２＋ｊ）列）とがそれぞれ対象画素である。すなわち、比較器３０３は、単一フレームにおける右目用画像および左目用画像の画素の階調値を比較する。比較器３０３は、対象画素の階調値が同一であるか否かを示す信号を出力する。
【００３３】
変換部３０４は、変換手段２３の一例であり、対象画素の階調値をサブフィールドコードに変換する。サブフィールドコードとは、１群のサブフィールドにおけるオンまたはオフの組み合わせ（厳密には順列）を示すデータをいう。階調値からサブフィールドコードへの変換は、ＬＵＴを参照して行われる。この例で、変換部３０４は、比較器３０３から出力される信号が、対象画素の階調値が同一であることを示している場合はＬＵＴ２１２を参照して、対象画素の階調値が同一でないことを示している場合はＬＵＴ２１１を参照して、変換を行う。変換部３０４は、対象画素のサブフィールドコードを出力する。
【００３４】
図８は、ＬＵＴ２１１およびＬＵＴ２１２を例示する図である。この例で、ＬＵＴ２１１に含まれるサブフィールドコードは、１０個のサブフィールドのオン（「１」）またはオフ（「０」）の組み合わせを示す。すなわちａ＝１０の例であり、ＳＦコードは１０ビットのデータである。また、ＬＵＴ２１２に含まれるサブフィールドコードは、２０個のサブフィールドのオンまたはオフの組み合わせを示す。すなわちｂ＝２０（＝２ａ）の例であり、ＳＦコードは２０ビットのデータである。
【００３５】
再び図６を参照する。分離部３０５は、サブフィールドコードを、左目用画像と右目用画像とに分離する。具体的には、分離部３０５は、対象画素の左目用画像のサブフィールドコードをフレームメモリー３０６に書き込み、右目用画像のサブフィールドコードをフレームメモリー３０７に書き込む。フレームメモリー３０６は、左目用画像のサブフィールドコードを記憶するメモリーである。フレームメモリー３０７は、右目用画像のサブフィールドコードを記憶するメモリーである。この例で、フレームメモリー３０６およびフレームメモリー３０７は、それぞれ、ｍ行ｎ列の画素に相当する記憶領域を有する。例えば、第ｉ行第ｊ列の画素が対象画素である場合、分離部３０５は、フレームメモリー３０６の第ｉ行第（２ｊ）列および第ｉ行第（２ｊ＋１）列の画素に相当する記憶領域に、対象画素の左目用画像のサブフィールドコードを書き込む。さらに分離部３０５は、フレームメモリー３０７の第ｉ行第（２ｊ）列および第ｉ行第（２ｊ＋１）列の画素に相当する記憶領域に、対象画素の右目用画像のサブフィールドコードを書き込む。
【００３６】
図９は、分離部３０５によるサブフィールドコード書き込みの例を示す図である。この例で、フレームメモリー３０６およびフレームメモリー３０７は、各画素に相当する記憶領域として、２０ビットのデータを記憶する記憶領域を有する。左目用画像および右目用画像の階調値が異なる場合（図９（Ａ））、分離部３０５は、１０ビットのサブフィールドコードを２回繰り返してフレームメモリー３０６およびフレームメモリー３０７に書き込む。左目用画像および右目用画像の階調値が同一の場合（図９（Ｂ））、分離部３０５は、２０ビットのサブフィールドコードをフレームメモリー３０６およびフレームメモリー３０７に書き込む。
【００３７】
制御部３０８は、フレームメモリー３０６またはフレームメモリー３０７からサブフィールドコードを読み出し、読み出したサブフィールドコードに応じたデータ信号Ｖｘを出力する。より詳細には、制御部３０８は、制御信号Ｉｃｔｒにより示されるタイミングで、２０ビットのサブフィールドコードを順次読み出し、読み出したサブフィールドコードに応じたデータ信号Ｖｘを出力する。
【００３８】
２．動作
図１０は、プロジェクター２０００の動作を示すフローチャートである。ステップＳ１００において、比較器３０３は、左目用画像と右目用画像とで、対象画素の階調値が同一であるか判断する。対象画素の階調値が同一であると判断された場合（ステップＳ１００：ＹＥＳ）、変換部３０４は、ＬＵＴ２１２を参照して階調値をサブフィールドコードに変換する（ステップＳ１０１）。対象画素の階調値が同一でないと判断された場合（ステップＳ１００：ＮＯ）、変換部３０４は、ＬＵＴ２１１を参照して階調値をサブフィールドコードに変換する（ステップＳ１０２）。
【００３９】
ステップＳ１０３において、分離部３０５は、対象画素のサブフィールドコードをフレームメモリー３０６およびフレームメモリー３０７に書き込む。走査制御回路２０から出力される制御信号Ｉｃｔｒにより示されるタイミングで、制御部３０８は、フレームメモリー３０６またはフレームメモリー３０７に記憶されているサブフィールドコードに応じたデータ信号Ｖｘを出力する（ステップＳ１０４）。
【００４０】
ここで、対象画素の左目用画像と右目用画像における階調値が異なっている場合の処理について、図９（Ａ）の例を用いて説明する。
【００４１】
ラインバッファー３０２は、入力画像のうち、処理対象となる行に属する画素群の階調値を記憶する。比較器３０３は、ラインバッファー３０２に記憶されている階調値のうち、対象画素に相当する２つの画素の階調値を読み出す。対象画素に相当する２つの画素は、入力画像のうち、第ｉ行第ｊ列の画素および第ｉ行第（ｎ／２＋ｊ）列の画素である。比較器３０３は、読み出した２つの階調値を比較し、比較結果を示す信号を変換部３０４に出力する。この例では、比較器３０３は、これら２つの画素の階調値が異なること（すなわち対象画素の階調値が同一でないこと）を示す信号を出力する。
【００４２】
対象画素の階調値が同一でないことを示す信号が入力されると、変換部３０４は、ＬＵＴ２１１を参照して、階調値をサブフィールドコードに変換する。具体的には以下のとおりである。まず、変換部３０４は、ラインバッファー３０２から、左目用画像の階調値として、第ｉ行第ｊ列の画素の階調値を読み出す。変換部３０４は、メモリー３０１に記憶されているＬＵＴ２１１から、その階調値に対応するサブフィールドコードを読み出す。この例では、サブフィールドコード「0000000001」が読み出される。変換部３０４は、読み出したサブフィールドコードと、そのサブフィールドコードの長さが１０ビットであることを示すフラグと、そのサブフィールドコードが左目用画像のものであることを示すフラグとを、分離部３０５に出力する。
【００４３】
左目用画像のサブフィールドコードが入力されると、分離部３０５は、入力されたサブフィールドコードを、フレームメモリー３０６の第ｉ行第（２ｊ）列および第ｉ行第（２ｊ＋１）列の画素に相当する記憶領域に書き込む。フレームメモリー３０６において、各画素の記憶領域は２０ビットである。サブフィールドコードの長さが１０ビットであることを示すフラグが入力されると、分離部３０５は、２０ビットの記憶領域の前半１０ビットの記憶領域、および後半１０ビットの記憶領域にそれぞれ、入力された１０ビットのサブフィールドコードを書き込む。すなわち、分離部３０５は、１０ビットのサブフィールドコードを２回繰り返してフレームメモリー３０６に書き込む。この例では、フレームメモリー３０６において、第ｉ行第（２ｊ）列および第ｉ行第（２ｊ＋１）列の画素の記憶領域に、それぞれ「00000000010000000001」という２０ビットのデータが書き込まれる。
【００４４】
次に、変換部３０４は、ラインバッファー３０２から、右目用画像の階調値として、第ｉ行第（ｎ／２＋ｊ）列の画素の階調値を読み出す。変換部３０４は、メモリー３０１に記憶されているＬＵＴ２１１から、その階調値に対応するサブフィールドコードを読み出す。この例では、サブフィールドコード「0000000111」が読み出される。変換部３０４は、読み出したサブフィールドコードと、そのサブフィールドコードの長さが１０ビットであることを示すフラグと、そのサブフィールドコードが右目用画像のものであることを示すフラグとを、分離部３０５に出力する。
【００４５】
右目用画像のサブフィールドコードが入力されると、分離部３０５は、入力されたサブフィールドコードをフレームメモリー３０７の第ｉ行第（２ｊ）列および第ｉ行第（２ｊ＋１）列の画素に相当する記憶領域に書き込む。フレームメモリー３０７において、各画素の記憶領域は２０ビットである。サブフィールドコードの長さが１０ビットであることを示すフラグが入力されると、分離部３０５は、２０ビットの記憶領域の前半１０ビットの記憶領域、および後半１０ビットの記憶領域にそれぞれ、入力された１０ビットのサブフィールドコードを書き込む。すなわち、分離部３０５は、１０ビットのサブフィールドコードを２回繰り返してフレームメモリー３０７に書き込む。この例では、フレームメモリー３０７において、第ｉ行第（２ｊ）列および第ｉ行第（２ｊ＋１）列の画素の記憶領域に、それぞれ「00000001110000000111」という２０ビットのデータが書き込まれる。
【００４６】
順次対象画素を更新しつつ、階調値をサブフィールドコードに変換することにより、処理対象の行のサブフィールドコードが、フレームメモリー３０６およびフレームメモリー３０７に書き込まれる。処理対象の行を順次更新することにより、１フレームの画像のサブフィールドコードが、フレームメモリー３０６およびフレームメモリー３０７に書き込まれる。
【００４７】
左目用画像および右目用画像は、時分割で交互に表示される。すなわち、１フレームは、左目用画像を表示する（サブ）フレーム（以下「左目フレーム」という）および右目用画像を表示する（サブ）フレーム（以下「右目フレーム」という）に区分される。左目フレームにおいて、制御部３０８は、フレームメモリー３０６から順次データを読み出し、読み出したデータに応じた電圧の信号を、データ信号Ｖｘとして出力する。この例で、第１サブフィールドのデータは「０」（オフ）であるので、第１サブフィールドにおいては、オフに相当する電圧（例えばゼロＶ）の信号がデータ信号Ｖｘとして出力される。あるいは、第８サブフィールドのデータは、「１」（オン）であるので、第８サブフィールドにおいては、オンに相当する電圧（例えば５Ｖ）の信号がデータ信号Ｖｘとして出力される。
【００４８】
図１１は、プロジェクター２０００の動作を示すタイミングチャートの一例である。図１１は、対象画素の、左目用画像における階調値と右目用画像における階調値とが異なっている例を示している。この例で、走査線１１２は１フレームにおいて８回走査される。１回の走査は１／８フレームすなわち２．０８ミリ秒で行われる。走査信号Ｇのうち、奇数回目の走査に関する部分が斜線で、偶数回目の走査に関する部分が白抜きで示されている。１フレームは４０サブフィールドに分割される。１フレームあたりの走査回数およびサブフィールド数は、以下の例でも同様である。
【００４９】
この例では、１フレームのうち前半１／２フレームが左目フレームであり、後半１／２フレームが右目フレームである。左目フレームおよび右目フレームはそれぞれ半分（すなわち１／４フレーム）に分割される。階調表現は、１／４フレームすなわち１０サブフィールドを用いて行われる。この階調表現に用いられるサブフィールドコードは、ＬＵＴ２１１を用いた変換により得られる。極性反転信号Ｆｒｐは、最初の１／４フレームおよび最後の１／４フレームはＬレベルであり、中間の１／２フレームはＨレベルである。
【００５０】
第１番目の１／４フレームにおいて、負極性の電圧印加により左目用画像（図９（Ａ）の対象画素の例では、「0000000001」のデータ）が書き込まれる。第２番目の１／４フレームにおいて、正極性の電圧印加により左目用画像（図９（Ａ）の対象画素の例では、「0000000001」のデータ）が書き込まれる。この２つの期間において書き込まれる左目用画像は同一である。したがって、前半の１／２フレームにおいて、液晶素子１２０に正極性の電圧が印加されている時間と負極性の電圧が印加されている時間とは等しくなり、極性バランスがとれている。次に、第３番目の１／４フレームにおいて、正極性の電圧印加により右目用画像（図９（Ａ）の対象画素の例では、「0000000111」のデータ）が書き込まれる。第４番目の１／４フレームにおいて、負極性の電圧印加により右目用画像（図９（Ａ）の対象画素の例では、「0000000111」のデータ）が書き込まれる。この２つの期間において書き込まれる右目用画像は同一である。したがって、後半の１／２フレームにおいて、液晶素子１２０に正極性の電圧が印加されている時間と負極性の電圧が印加されている時間とは等しくなり、極性バランスがとれている。
【００５１】
次に、対象画素の左目用画像と右目用画像における階調値が同一である場合の処理について、図９（Ｂ）の例を用いて説明する。
【００５２】
ラインバッファー３０２は、入力画像のうち、処理対象となる行に属する画素群の階調値を記憶する。比較器３０３は、ラインバッファー３０２に記憶されている階調値のうち、対象画素に相当する２つの画素の階調値を読み出す。対象画素に相当する２つの画素は、入力画像のうち、第ｉ行第ｊ列の画素および第ｉ行第（ｎ／２＋ｊ）列の画素である。比較器３０３は、読み出した２つの階調値を比較し、比較結果を示す信号を変換部３０４に出力する。この例では、比較器３０３は、これら２つの画素の階調値が同一であること（すなわち対象画素の階調値が同一であること）を示す信号を出力する。
【００５３】
対象画素の階調値が同一であることを示す信号が入力されると、変換部３０４は、ＬＵＴ２１２を参照して、階調値をサブフィールドコードに変換する。具体的には以下のとおりである。まず、変換部３０４は、ラインバッファー３０２から、左目用画像の階調値として、第ｉ行第ｊ列の画素の階調値を読み出す。変換部３０４は、メモリー３０１に記憶されているＬＵＴ２１２から、その階調値に対応するサブフィールドコードを読み出す。この例では、サブフィールドコード「00000000000000000001」が読み出される。変換部３０４は、読み出したサブフィールドコードと、そのサブフィールドコードの長さが２０ビットであることを示すフラグと、そのサブフィールドコードが左目用画像および右目用画像に共通のものであることを示すフラグとを、分離部３０５に出力する。
【００５４】
左目用画像および右目用画像に共通のサブフィールドコードが入力されると、分離部３０５は、入力されたサブフィールドコードを、フレームメモリー３０６の第ｉ行第（２ｊ）列および第ｉ行第（２ｊ＋１）列の画素に相当する記憶領域、並びにフレームメモリー３０７の第ｉ行第（２ｊ）列および第ｉ行第（２ｊ＋１）列の画素に相当する記憶領域に書き込む。この例では、フレームメモリー３０６およびフレームメモリー３０７において、第ｉ行第（２ｊ）列および第ｉ行第（２ｊ＋１）列の画素の記憶領域に、それぞれ「00000000000000000001」という２０ビットのデータが書き込まれる。
【００５５】
順次対象画素を更新しつつ、階調値をサブフィールドコードに変換することにより、処理対象の行のサブフィールドコードが、フレームメモリー３０６およびフレームメモリー３０７に書き込まれる。処理対象の行を順次更新することにより、１フレームの画像のサブフィールドコードが、フレームメモリー３０６およびフレームメモリー３０７に書き込まれる。
【００５６】
左目フレームにおいて、制御部３０８は、フレームメモリー３０６から順次データを読み出し、読み出したデータに応じた電圧の信号を、データ信号Ｖｘとして出力する。この例で、第１サブフィールドのデータは「０」（オフ）であるので、第１サブフィールドにおいては、オフに相当する電圧の信号がデータ信号Ｖｘとして出力される。あるいは、第２０サブフィールドのデータは、「１」であるので、第２０サブフィールドにおいては、オンに相当する電圧の信号がデータ信号Ｖｘとして出力される。
【００５７】
図１２は、プロジェクター２０００の動作を示すタイミングチャートの別の例である。図１２は、対象画素の、左目用画像における階調値と右目用画像における階調値とが同一である例を示している。左目用画像および右目用画像は、１／２フレームすなわち２０サブフィールドを用いて階調表現される。この階調表現に用いられるサブフィールドコードは、ＬＵＴ２１２を用いた変換により得られる。極性反転信号Ｆｒｐは、最初の１／４フレームおよび最後の１／４フレームはＬレベルであり、中間の１／２フレームはＨレベルである。
【００５８】
この例で、１番目の１／４フレームにおいては、２０ビットのサブフィールドコード（図９（Ｂ）の例では「00000000000000000001」）のうち、前半１０ビットのデータ（「0000000000」）が書き込まれる。このとき液晶素子１２０に印加される電圧の極性は負極性である。２番目の１／４フレームにおいては、２０ビットのサブフィールドコードのうち、後半１０ビットのデータ（「0000000001」）が書き込まれる。このとき液晶素子１２０に印加される電圧の極性は正極性である。３番目の１／４フレームにおいては、２０ビットのサブフィールドコードのうち、前半１０ビットのデータ（「0000000000」）が書き込まれる。このとき液晶素子１２０に印加される電圧の極性は正極性である。４番目の１／４フレームにおいては、２０ビットのサブフィールドコードのうち、後半１０ビットのデータ（「0000000001」）が書き込まれる。このとき液晶素子１２０に印加される電圧の極性は負極性である。
【００５９】
左目用画像および右目用画像の階調値が同一なので、前半１／２フレームで表示される画像と後半１／２フレームで表示される画像とは同一である。１番目の１／４フレームと、３番目の１／４フレームとは、サブフィールドコードが同一であり、かつ、液晶素子１２０に印加される電圧の極性が異なっているので、極性バランスがとれている。２番目の１／４フレームと、４番目の１／４フレームについても同様である。
【００６０】
左目用画像および右目用画像における階調値が同一である画素については、階調値が同一でない画素より長いサブフィールドコードを用いて階調表現される（すなわち階調数が増加する）。左目用画像および右目用画像の階調値が同一であるのは、立体視しない静止画部分の可能性が高い。立体視しない部分は、立体視する部分よりも階調増加の効果をユーザーに感じさせやすい。
【００６１】
図１３は、比較例に係る動作を示すタイミングチャートの例である。図１３は、極性反転信号Ｆｒｐが、第１番目および第３番目の１／４フレームでＬレベルであり、第２番目および第４番目の１／４フレームでＨレベルである点以外は、図１２の例と同様である。この例では、前半１／２フレームのうちの前半１／４フレームと、後半１／２フレームのうちの前半１／４フレームとは、サブフィールドコードが同一であり、かつ、液晶素子１２０に印加される電圧の極性も同一であるので、極性バランスがとれない。
【００６２】
これに対しプロジェクター２０００によれば、単一フレーム内における極性バランスがとれている。
【００６３】
［変形例］
本発明は上述の実施形態に限定されるものではなく、種々の形態で実施が可能である。以下、変形例をいくつか説明する。以下の変形例のうち２つ以上のものが組み合わせて用いられてもよい。
【００６４】
（変形例１）
図１４は、変形例１に係る映像処理回路３０の構成を示す図である。変形例１において、映像処理回路３０は、メモリー３０１と、フレームメモリー３０６と、フレームメモリー３０７と、制御部３０８と、分離部３１１と、フレームメモリー３１２と、フレームメモリー３１３と、比較器３１４と、変換部３１５とを有する。実施形態において映像信号Ｖｉｄ−ｉｎはサイド・バイ・サイド方式の３Ｄ映像を示すものであったが、変形例１において、映像信号Ｖｉｄ−ｉｎはフレームシーケンシャル方式の３Ｄ映像を示す。より具体的に、映像信号Ｖｉｄ−ｉｎは、左目用画像と右目用画像とが１２０Ｈｚで交互に切り替わる映像を示す。分離部３１１は、映像信号Ｖｉｄ−ｉｎが示す画像を左目用画像と右目用画像とに分離する。分離部３１１は、左目用画像をフレームメモリー３１２、右目用画像をフレームメモリー３１３に、それぞれ書き込む。フレームメモリー３１２およびフレームメモリー３１３は、それぞれ左目用画像および右目用画像を１フレーム分記憶するメモリーである。なお、フレームメモリー３１２およびフレームメモリー３１３については、フレームメモリーにかわり、ラインバッファー（１行分のデータを記憶するメモリー）が用いられてもよい。
【００６５】
比較器３１４は、フレームメモリー３１２およびフレームメモリー３１３から対象画素の階調値のデータを読み出し、これらが同一であるか判断する。比較器３１４は、左目用画像および右目用画像において対象画素の階調値が同一であるか否かを示す信号を出力する。変換部３１５は、比較器３１４から出力される信号が、対象画素の階調値が同一であることを示している場合はＬＵＴ２１２を参照して、対象画素の階調値が同一でないことを示している場合はＬＵＴ２１１を参照して、階調値をサブフィールドコードに変換する。変換部３０４は、変換により得られたサブフィールドコードを、フレームメモリー３０６およびフレームメモリー３０７に書き込む。フレームメモリー３０６、フレームメモリー３０７、および制御部３０８については、実施形態で説明したとおりである。
【００６６】
変形例１によれば、サイド・バイ・サイド方式の３Ｄ映像だけでなく、フレームシーケンシャル方式の３Ｄ映像においても、単一フレーム内における極性バランスをとりつつ、かつ、左目用画像および右目用画像における階調値が同一である画素については、より長いサブフィールドコードを用いて階調表現が行われる（すなわち階調数が増加する）。
【００６７】
（変形例２）
実施形態において、左目フレームおよび右目フレームの半分、すなわち１／４フレーム（＝１０サブフィールド）をフルに使って階調表現が行われる例を説明した。しかし、階調表現は、１／４フレームの一部のみを使って行われてもよい。実施形態では、液晶素子１２０および３Ｄ映像を視聴するための３Ｄメガネのシャッターの応答時間（応答速度）が無視できる例、すなわち、液晶素子１２０の応答時間およびシャッターの応答時間が、サブフィールド長に対して十分に速い例を説明した。しかし、液晶素子１２０およびシャッターの構成によっては、応答時間が無視できない場合がある。例えば、液晶素子１２０の応答時間がｃ個（ｃ＜ａ）のサブフィールドに相当する時間である場合、ｂ＝２ａ＋ｃであってもよい。
【００６８】
図１５は、プロジェクター２０００の変形例２に係る動作を示すタイミングチャートである。図１５は、左目用画像および右目用画像の対象画素の階調値が異なっている例を示している。例えば、液晶素子１２０の応答時間は無視できるが、３Ｄメガネのシャッターの応答時間が２サブフィールド程度あり無視できない場合（ｃ＝２）、１／４フレームのうち、２サブフィールドは、階調表現に使うことはできない。この場合、８サブフィールドを用いて階調表現が行われる。すなわち、ＬＵＴ２１１に記録されているサブフィールドコードは８ビットのデータである（ａ＝８）。また、極性反転信号Ｆｒｐは、フレームの開始時点から１１サブフィールドに相当する時間が経過するとＬレベルからＨレベルに変化する。極性反転信号Ｆｒｐは、２０サブフィールドに相当する時間、Ｈレベルを維持した後、Ｌレベルに変化する。なお、極性反転信号Ｆｒｐは、シャッターの応答時間の間に切り替わればよい。
【００６９】
図１６は、プロジェクター２０００の変形例２に係る動作を示すタイミングチャートである。図１６は、応答時間の条件が図１５と同様である場合において、左目用画像および右目用画像の対象画素の階調値が同一である例を示している。この場合、１８サブフィールドを用いて階調表現が行われる。すなわち、ＬＵＴ２１２に記録されているサブフィールドコードは１８ビットのデータである（ｂ＝１８＝２ａ＋ｃ）。
【００７０】
変形例２によれば、３Ｄメガネのシャッターの応答時間が無視できない場合でも、単一フレーム内における極性バランスをとりつつ、かつ、左目用画像および右目用画像における階調値が同一である画素については、より長いサブフィールドコードを用いて階調表現が行われる（すなわち階調数が増加する）。
【００７１】
（変形例３）
映像信号Ｖｉｄ−ｉｎが示す映像は、３Ｄ映像に限定されず、２Ｄ映像であってもよい。この場合、第１画像は第ｋフレームの画像であり、第２画像は第（ｋ＋１）フレームの画像である。変形例３によれば、２Ｄ映像においても、連続する２つのフレームにおいて階調値が同一である画素については、より長いサブフィールドコードを用いて階調表現が行われる（すなわち階調数が増加する）。
【００７２】
（変形例４）
実施形態においては、左目フレームおよび右目フレームのそれぞれにおいて、液晶素子１２０に正極性の電圧が印加される時間と負極性の電圧が印加される時間とが同一である、極性反転駆動が用いられる例を説明した。しかし、左目フレームおよび右目フレームのそれぞれにおいて、液晶素子１２０に正極性の電圧が印加される時間と負極性の電圧が印加される時間とが同一でない駆動方法が用いられてもよい。例えば、１フレーム毎に印加電圧の極性が反転する駆動方法が用いられてもよい。
【００７３】
（変形例５）
実施形態において、比較器３０３は、左目用画像および右目用画像の対処画素の階調値が、同一であるか判断する例を説明した。ここでいう「同一」とは完全同一だけではなく、左目用画像および右目用画像の対処画素の階調値の差が、所定のしきい値未満である場合を含んでもよい。
【００７４】
（変形例６）
実施形態において、複数のサブフィールドが同一の時間長を有する例を説明した。しかし、複数のサブフィールドは、同一の時間長を有していなくてもよい。すなわち、１フレームにおける各サブフィールドの時間長は、所定の規則によって重み付けされ、それぞれ異なっていてもよい。
【００７５】
（他の変形例）
本発明に係る電子機器はプロジェクターに限定されない。テレビジョン、ビューファインダー型・モニタ直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等に本発明が用いられてもよい。
【００７６】
電気光学装置２１００の構成は、図３で例示したものに限定されない。図２の機能を実現できるものであれば、電気光学装置２１００は、どのような構成を有していてもよい。例えば、電気光学装置２１００に用いられる電気光学素子は、液晶素子１２０に限定されない。液晶素子１２０に代わり、有機ＥＬ（Electro-Luminescence）素子等、他の電気光学素子が用いられてもよい。
実施形態で説明したパラメーター（例えば、サブフィールド数やフレーム速度、画素数など）および信号の極性やレベルはあくまで例示であり、本発明はこれに限定されない。
【符号の説明】
【００７７】
１０…制御回路、２０…走査制御回路、２１…記憶手段、２２…入力手段、２３…変換手段、２４…駆動手段、３０…映像処理回路、１００…液晶パネル、１０１…表示領域、１０５…液晶層、１０８…コモン電極、１１１…画素、１１２…走査線、１１４…データ線、１１５…容量線、１１６…ＴＦＴ、１１８…画素電極、１２０…液晶素子、１２５…容量素子、１３０…走査線駆動回路、１４０…データ線駆動回路、２１０…ライトバルブ、２１１…ＬＵＴ、２１２…ＬＵＴ、２２０…ランプユニット、２３０…光学系、２４０…ダイクロイックプリズム、２５０…投射レンズ、３０１…メモリー、３０２…ラインバッファー、３０３…比較器、３０４…変換部、３０５…分離部、３０６…フレームメモリー、３０７…フレームメモリー、３０８…制御部、３１１…分離部、３１２…フレームメモリー、３１３…フレームメモリー、３１４…比較器、３１５…変換部、２０００…プロジェクター、２１００…電気光学装置、２３０１…ダイクロイックミラー、２３０２…ミラー、２３０３…第１マルチレンズ、２３０４…第２マルチレンズ、２３０５…偏光変換素子、２３０６…重畳レンズ、２３０７…リレーレンズ、２３０８…集光レンズ、３０００…スクリーン
【図１】
0005895411.tif 000002
【図２】
0005895411.tif 000003
【図３】
0005895411.tif 000004
【図４】
0005895411.tif 000005
【図５】
0005895411.tif 000006
【図６】
0005895411.tif 000007
【図７】
0005895411.tif 000008
【図８】
0005895411.tif 000009
【図９】
0005895411.tif 000010
【図１０】
0005895411.tif 000011
【図１１】
0005895411.tif 000012
【図１２】
0005895411.tif 000013
【図１３】
0005895411.tif 000014
【図１４】
0005895411.tif 000015
【図１５】
0005895411.tif 000016
【図１６】
0005895411.tif 000017